【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
少なくとも第１及び第２の区域を有する第１の主表面を有する物品であって、前記第１の区域が、第１のピッチ及び第１の表面粗さを有する複数の第１の構造を備え、前記第２の区域が、第２のピッチ及び第２の表面粗さを有する複数の第２の構造を備え、前記第１及び第２のピッチが同一であり、前記第１の表面粗さの測定値が、前記第２の表面粗さの測定値の５０パーセントを超えず、前記少なくとも第１及び第２の区域の少なくとも一部分が、第１の像の少なくとも一部分を共に呈するそれらの間に表面粗さの相違を有する、物品。
【請求項２】
窪みを備えるパターン化された面を有する成形型を準備する工程と、
窪みの一部分を少なくとも部分的に充填する所望のパターンで、第１の材料を前記成形型の前記面の一部分に適用する工程と、
ポリマー材料の表面と、前記窪みの一部分を少なくとも部分的に充填する所望のパターンを有する前記成形型の前記面とを接触させて、前記物品を提供する工程と、を含む、請求項１に記載の物品を作製する方法。
【請求項３】
窪みを備えるパターン化された面を有する回転式成形型ロールを準備する工程と、
前記成形型ロールとニップロールとの間に送込みニップが存在するように、前記成形型ロールに対して位置付けられる回転式ニップロールを設ける工程と、
窪みの一部分を少なくとも部分的に充填する所望のパターンで、第１の材料を前記成形型ロールの前記面の一部分に適用する工程と、
前記成形型ロール又はニップロールのうちの１つを駆動しながら、ＵＶ硬化性ポリマー材料の連続的流れ及びキャリアフィルムを前記送込みニップ内に導入する工程であって、前記キャリアフィルムが、前記ＵＶ硬化性ポリマー材料よりも前記ニップロールに近い、工程と、
前記ＵＶ硬化性ポリマー材料を硬化させて、
前記物品を提供する工程と、を含む、請求項１に記載の物品を作製する方法。
【請求項４】
窪みを備えるパターン化された面を有する回転式成形型ロールを準備する工程と、
前記成形型ロールとニップロールとの間に送込みニップが存在するように、前記成形型ロールに対して位置付けられる回転式ニップロールを設ける工程と、
窪みの一部分を少なくとも部分的に充填する所望のパターンで、第１の材料を前記成形型ロールの前記面の一部分に適用する工程と、
前記成形型ロール又はニップロールのうちの少なくとも１つを駆動しながら、押出可能なポリマー材料の連続流れを前記送込みニップ内に導入して、前記物品を提供する工程と、を含む、請求項１に記載の物品を作製する方法。
【請求項５】
パターン化された面を有する成形型を準備する工程と、
ポリマー材料の表面を接触させて、前記物品を提供する工程と、を含む、請求項１に記載の物品を作製する方法。
【請求項６】
パターン化された面を有する回転式成形型ロールを準備する工程と、
前記成形型ロールとニップロールとの間に送込みニップが存在するように、前記成形型ロールに対して位置付けられる回転式ニップロールを設ける工程と、
前記成形型ロール又はニップロールのうちの１つを駆動しながら、ＵＶ硬化性ポリマー材料の連続的流れ及びキャリアフィルムを前記送込みニップ内に導入する工程であって、前記キャリアフィルムが、前記ＵＶ硬化性ポリマー材料よりも前記ニップロールに近い、工程と、
前記ＵＶ硬化性ポリマー材料を硬化させて、
前記物品を提供する工程と、を含む、請求項１に記載の物品を作製する方法。
【請求項７】
パターン化された面を有する回転式成形型ロールを準備する工程と、
前記成形型ロールとニップロールとの間に送込みニップが存在するように、前記成形型ロールに対して位置付けられる回転式ニップロールを設ける工程と、
前記成形型ロール又はニップロールのうちの少なくとも１つを駆動しながら、押出可能なポリマー材料の連続的流れを前記送込みニップ内に導入して、前記物品を提供する工程と、を含む、請求項１に記載の物品を作製する方法。
【請求項８】
少なくとも第１及び第２の区域を有する第１の主表面を有する物品であって、前記第１の区域が、複数の第１の構造を備え、かつ第１の表面粗さを有し、前記第２の区域が、複数の第２の構造を備え、かつ第２の表面粗さを有し、前記第１及び第２の区域が、高さ不連続線を有さないで、共に接合し、前記第１の表面粗さが、前記第２の表面粗さの１００パーセントを超えず、前記少なくとも第１及び第２の区域の少なくとも一部分が、第１の像の少なくとも一部分を共に呈するそれらの間に表面粗さの相違を有する、物品。
【請求項９】
窪みを備えるパターン化された面を有する成形型を準備する工程と、
窪みの一部分を少なくとも部分的に充填する所望のパターンで、第１の材料を前記成形型の前記面の一部分に適用する工程と、
ポリマー材料の表面と、前記窪みの一部分を少なくとも部分的に充填する所望のパターンを有する前記成形型の前記面とを接触させて、前記物品を提供する工程と、を含む、請求項８に記載の物品を作製する方法。
【請求項１０】
窪みを備えるパターン化された面を有する回転式成形型ロールを準備する工程と、
前記成形型ロールとニップロールとの間に送込みニップが存在するように、前記成形型ロールに対して位置付けられる回転式ニップロールを設ける工程と、
窪みの一部分を少なくとも部分的に充填する所望のパターンで、第１の材料を前記成形型ロールの前記面に適用する工程と、
前記成形型ロール又はニップロールのうちの１つを駆動しながら、ＵＶ硬化性ポリマー材料の連続的流れ及びキャリアフィルムを前記送込みニップ内に導入する工程であって、前記キャリアフィルムが、前記ＵＶ硬化性ポリマー材料よりも前記ニップロールに近い、工程と、
前記ＵＶ硬化性ポリマー材料を硬化させて、
前記物品を提供する工程と、を含む、請求項８に記載の物品を作製する方法。
【請求項１１】
窪みを備えるパターン化された面を有する回転式成形型ロールを準備する工程と、
前記成形型ロールとニップロールとの間に送込みニップが存在するように、前記成形型ロールに対して位置付けられる回転式ニップロールを設ける工程と、
窪みの一部分を少なくとも部分的に充填する所望のパターンで、第１の材料を前記成形型ロールの前記面の一部分に適用する工程と、
前記成形型ロール又はニップロールのうちの少なくとも１つを駆動しながら、押出可能なポリマー材料の連続的流れを前記送込みニップ内に導入して、前記物品を提供する工程と、を含む、請求項８に記載の物品を作製する方法。
【請求項１２】
パターン化された面を有する成形型を準備する工程と、
ポリマー材料の表面を接触させて、物品を提供する工程と、を含む、請求項８に記載の物品を作製する方法。
【請求項１３】
パターン化された面を有する回転式成形型ロールを準備する工程と、
前記成形型ロールとニップロールとの間に送込みニップが存在するように、前記成形型ロールに対して位置付けられる回転式ニップロールを設ける工程と、
前記成形型ロール又はニップロールのうちの１つを駆動しながら、ＵＶ硬化性ポリマー材料の連続的流れ及びキャリアフィルムを前記送込みニップ内に導入する工程であって、前記キャリアフィルムが、前記ＵＶ硬化性ポリマー材料よりも前記ニップロールに近い、工程と、
前記ＵＶ硬化性ポリマー材料を硬化させて、
前記物品を提供する工程と、を含む、請求項８に記載の物品を作製する方法。
【請求項１４】
パターン化された面を有する回転式成形型ロールを準備する工程と、
前記成形型ロールとニップロールとの間に送込みニップが存在するように、前記成形型ロールに対して位置付けられる回転式ニップロールを設ける工程と、
前記成形型ロール又はニップロールのうちの少なくとも１つを駆動しながら、押出可能なポリマー材料の連続的流れを前記送込みニップ内に導入して、前記物品を提供する工程と、を含む、請求項８に記載の物品を作製する方法。